(57)【要約】【課題】長尺体配設経路の出隅部に位置する長尺体の屈曲部を損傷の無い状態で能率良く安価に配設する。【解決手段】出隅部３Ａにおいて交差する二つの両被取付け面３ａ，３ｂの少なくとも一方に取付け可能なベース部４に、両被取付け面３ａ，３ｂが交差する角部３ｃから離間した状態で長尺体１の屈曲部１ａを受止める配設ガイド部５と、配設ガイド部５で受止められている長尺体１を配設ガイド部５の幅内に位置保持する位置保持部６と、が設けられている。【選択図】図１
2019019936.tif 000002
【特許請求の範囲】
【請求項１】
出隅部において交差する二つの被取付け面に沿って可撓性の長尺体を屈曲状態で配設する長尺体用支持具であって、
前記両被取付け面の少なくとも一方に取付け可能なベース部に、前記両被取付け面が交差する角部から離間した状態で前記長尺体の屈曲部を受止める配設ガイド部と、前記配設ガイド部で受止められている前記長尺体を前記配設ガイド部の幅内に位置保持する位置保持部と、が設けられている長尺体用支持具。
【請求項２】
前記ベース部には、前記両被取付け面の一方に当接する取付け板部と、前記両被取付け面の他方に当接可能な位置決め板部と、が備えられ、前記取付け板部の外側面には、前記位置保持部が配設されている請求項１記載の長尺体用支持具。
【請求項３】
前記配設ガイド部は、前記ベース部における前記取付け板部と前記位置決め板部との間において前記角部から離間した状態で一体形成された突曲板部から構成されている請求項２記載の長尺体用支持具。
【請求項４】
前記位置保持部には、前記取付け板部の外側面に突出する突起部と、当該突起部に形成された長尺体配設経路に直交又は略直交する貫通孔に対して挿通保持される保持線材と、が備えられ、前記突起部の外側端面は、前記取付け板部の外側面に対する前記配設ガイド部の突出高さと略同じ高さ位置又はそれよりも高い位置で前記長尺体を受け止める受け面に構成されている請求項２又は３記載の長尺体用支持具。
【発明の詳細な説明】
【技術分野】
【０００１】
本発明は、床スラブの下面等に沿って配設される配線等の可撓性の長尺体を支持する支持具に関する。
【背景技術】
【０００２】
可撓性の長尺体を床スラブの下面等に沿って配設する際、床スラブの下面から突出する梁部を迂回しながら長尺体を配設する場合がある。このとき、従来では、梁部の水平壁面における長尺体配設経路の途中で、且つ、梁部の水平壁面と垂直壁面とで形成される出隅部における角部（稜線部）から離間した部位に、例えば、特許文献１に開示されている長尺体用の支持具を接着剤で固着する。また、梁部の出隅部の角部における長尺体配設経路上の部位には、例えば、ポリエチレン基材にブチルゴムを主成分とする粘着層を形成してある保護テープを貼り付ける。
特許文献１に開示されている支持具は、梁部の水平壁面に当接可能な当接面を備えた取付け板の外側面の中央部位に、水平方向に沿うスリット状の挿通孔を備えた支持部を一体的に突出形成し、この支持部の挿通孔に、長尺体を取付け板に支持させる結節可能な保持線材が二股状に挿通されている。
【０００３】
そして、梁部の水平壁面に接着剤で固着された支持具の保持線材間に長尺体を配置する。この状態で保持線材の両端部を捻り操作して結束し、長尺体を支持具の取付け板に支持させる。これにより、長尺体は梁部の角部で屈曲し、この長尺体の屈曲部は梁部の角部に貼り付けられている保護テープと接触する。
【先行技術文献】
【特許文献】
【０００４】
【特許文献１】特開２００４−３２０９８７号公報
【発明の概要】
【発明が解決しようとする課題】
【０００５】
上述の長尺体の配設方法では、梁部の出隅側の角部を通る長尺体を、保持線材を備えた支持具と保護テープとを用いて配設する必要があり、しかも、支持具の取付け作業と保護テープの貼り付け作業とを長尺体配設経路の異なる位置で各別に行う必要があるため、長尺体の配設作業に手間取ると共に、長尺体の配設コストも高くなる不都合がある。
【０００６】
この実情に鑑み、本発明の主たる課題は、長尺体配設経路の出隅部に位置する長尺体の屈曲部を損傷の無い状態で能率良く安価に配設することのできる長尺体用支持具を提供する点にある。
【課題を解決するための手段】
【０００７】
本発明による第１の特徴構成は、出隅部において交差する二つの被取付け面に沿って可撓性の長尺体を屈曲状態で配設する長尺体用支持具であって、
前記両被取付け面の少なくとも一方に取付け可能なベース部に、前記両被取付け面が交差する角部から離間した状態で前記長尺体の屈曲部を受止める配設ガイド部と、前記配設ガイド部で受止められている前記長尺体を前記配設ガイド部の幅内に位置保持する位置保持部と、が設けられている点にある。
【０００８】
上記構成によれば、長尺体配設経路中に存在する出隅部に沿って長尺体を配設する際、出隅部の両被取付け面の少なくとも一方にベース部を取付ける。この取付け状態では、ベース部に設けた配設ガイド部の長尺体受止め位置が出隅部の角部から外方側に離間した位置にあり、長尺体の屈曲部は、出隅部の角部と非接触状態で配設ガイド部に受止められる。しかも、ベース部に設けられた位置保持部により、配設ガイド部で受止められている長尺体の屈曲部は、配設ガイド部の幅内で略長尺体配設経路に沿って位置保持されるので、長尺体が配設ガイド部から逸脱することによる出隅部の角部との接触に起因する損傷を抑制することができる。
したがって、保持線材を備えた支持具と保護テープとを用いる従来の長尺体配設方法と比較して、長尺体配設経路の出隅部に位置する長尺体の屈曲部を損傷の無い状態で能率良く安価に配設することができる。
【０００９】
本発明による第２の特徴構成は、前記ベース部には、前記両被取付け面の一方に当接する取付け板部と、前記両被取付け面の他方に当接可能な位置決め板部と、が備えられ、前記取付け板部の外側面には、前記位置保持部が配設されている点にある。
【００１０】
上記構成によれば、一方の被取付け面にベース部の取付け板部を取付けるとき、他方の被取付け面に位置決め板部を当接することにより、ベース部の取付け位置、取付け姿勢を確定することができるので、出隅部に対するベース部の取付け作業を確実、容易に行うことができる。しかも、取付け板部の外側面に位置保持部が配設されているので、位置保持部に作用する長尺体の荷重等を取付け板部と一方の被取付け面との固着部位で確実に支持させることができる。
【００１１】
本発明による第３の特徴構成は、前記配設ガイド部は、前記ベース部における前記取付け板部と前記位置決め板部との間において前記角部から離間した状態で一体形成された突曲板部から構成されている点にある。
【００１２】
上記構成によれば、ベース部の取付け板部と位置決め板部とを出隅部の両被取付け面に当接するだけで、配設ガイド部を構成する突曲板部を角部から離間した所定の配設ガイド位置に配置することができる。これにより、長尺体の屈曲部を損傷の無い状態でより能率良く配設することができる。
【００１３】
本発明による第４の特徴構成は、前記位置保持部には、前記取付け板部の外側面に形成された突起部と、当該突起部に形成された長尺体配設経路に直交又は略直交する貫通孔に対して挿通保持される保持線材と、が備えられ、前記突起部の外側端面は、前記取付け板部の外側面に対する前記配設ガイド部の突出高さと略同じ高さ位置又はそれよりも高い位置で前記長尺体を受け止める受け面に構成されている点にある。
【００１４】
上記構成によれば、取付け板部の外側面に形成された突起部には、保持線材を挿通保持する貫通孔が、長尺体配設経路に対して直交又は略直交する方向に沿って形成されているので、突起部の貫通孔に挿通保持された保持線材を捻り結束すると、配設ガイド部に受止められている長尺体は、当該長尺体の長手方向に対して直交又は略直交する方向から締め付け固定されることになり、長尺体を長尺体配線経路に沿う又は略沿う姿勢に維持し易い。それ故に、長尺体が配設ガイド部から逸脱することを簡単な構造で抑制することができる。
さらに、配設ガイド部と突起部の外側端面に形成された受け面との二点で長尺体を安定良く支持することができる。このとき、突起部の受け面は、取付け板部の外側面に対する配設ガイド部の突出高さと略同じ高さ位置又はそれよりも高い位置に構成されているので、長尺体の屈曲部が鈍角になる無理の無い姿勢で配設することができる。
【図面の簡単な説明】
【００１５】
【図１】長尺体の配設状態を示す断面図
【図２】梁部の出隅部に取付けられた長尺体用支持具の拡大図
【図３】長尺体用支持具のベース部の平面図（ａ）、左側面図（ｂ）、正面図（ｃ）、右側面図（ｄ）、底面図（ｅ）
【図４】長尺体用支持具のベース部の斜視図
【図５】長尺体用支持具のベース部の斜視図
【図６】長尺体用支持具のベース部及び保持線材の斜視図
【図７】第２実施形態を示す長尺体用支持具の斜視図
【図８】第３実施形態を示す長尺体用支持具の正面図
【図９】第４実施形態を示す長尺体用支持具の正面図
【発明を実施するための形態】
【００１６】
〔第１実施形態〕
図１は、マンションやオフィスビル等の建物の天井構造において、配線や配管等の可撓性の長尺体１を配設するための天井空間を形成する状態で天井パネル（図示省略）を吊下げ支持するコンクリート製の床スラブ２を例示している。この例示では、床スラブ２の下面２ａから梁部３が下方に突出形成されている。
そのため、床スラブ２の下面２ａから突出する梁部３を迂回しながら長尺体１を長尺体配設経路に沿って配設するにあたっては、長尺体用支持具として、梁部３の両出隅部３Ａに取付けられる本発明の第１支持具Ａと、床スラブ２の水平な下面２ａに取付けられる第２支持具Ｂとが用いられる。
【００１７】
本発明の第１支持具Ａは、図１、図２に示すように、梁部３の出隅部３Ａにおいて交差する二つの被取付け面の一例で、直角に交差する鉛直壁面３ａ及び水平壁面３ｂに沿って屈曲状態で配設される長尺体１の屈曲部１ａを支持することになる。そのため、第１支持具Ａには、少なくとも一方の水平壁面３ｂに取付け可能な樹脂製（例えば、熱可塑性樹脂の一例であるポリプロピレン製）のベース部４に、鉛直壁面３ａと水平壁面３ｂとの交差点である角部（稜線部）３ｃから離間した状態で長尺体１の屈曲部１ａを受止める配設ガイド部５と、当該配設ガイド部５で受止められている長尺体１を配設ガイド部５の幅内に長尺体配設経路に沿って位置保持する位置保持部６と、が設けられている。
【００１８】
上述の構成により、長尺体１の長尺体配設経路中に存在する梁部３の出隅部３Ａに沿って長尺体１を配設する際、出隅部３Ａの少なくとも一方の水平壁面３ｂにベース部４を取付ける。この取付け状態では、ベース部４に設けた配設ガイド部５が出隅部３Ａの角部３ｃから外方側に離間した位置にあり、長尺体１の屈曲部１ａは、出隅部３Ａの角部３ｃと非接触状態で配設ガイド部５に受止められる。しかも、ベース部４に設けられた位置保持部６により、配設ガイド部５で受止められている長尺体１の屈曲部１ａは、配設ガイド部５の幅内で長尺体配設経路に沿って位置保持されるので、長尺体１が配設ガイド部５から逸脱することによる出隅部３Ａの角部３ｃとの接触に起因する損傷を回避することができる。
【００１９】
ベース部４には、図２〜図５に示すように、出隅部３Ａの水平壁面３ｂに下方から当接可能な取付け面４１ａを備えた取付け板部４１と、出隅部３Ａの鉛直壁面３ａに水平方向から当接可能な当接面４２ａを備えた位置決め板部４２と、が備えられている。取付け板部４１の長尺体配設経路方向の長さは、位置決め板部４２の長尺体配設経路方向の長さよりも大に構成されている。位置決め板部４２の当接面４２ａよりも大きな表面積を有する取付け板部４１の取付け面４１ａには、出隅部３Ａの水平壁面３ｂに固着するための接着剤が入り込む多数の円形状の凹部４３が形成されている。
【００２０】
上述の構成により、一方の被取付け面である出隅部３Ａの水平壁面３ｂにベース部４の取付け板部４１を取付けるとき、他方の被取付け面である出隅部３Ａの鉛直壁面３ａに位置決め板部４２を当接することにより、ベース部４の取付け位置、取付け姿勢が確定するので、出隅部３Ａに対するベース部４の取付けを確実、容易に行うことができる。しかも、位置保持部６に作用する長尺体１の荷重等を取付け板部４１と出隅部３Ａの水平壁面３ｂとの広い接着面で確実に分散支持させることができる。
【００２１】
配設ガイド部５は、図２〜図５に示すように、ベース部４における取付け板部４１と位置決め板部４２との間において、出隅部３Ａの角部３ｃから離間する側に突出する状態で一体形成された半円筒状の突曲板部５１から構成されている。この突曲板部５１は、図２に示すように、ベース部４の取付け板部４１に対して出隅部３Ａの水平壁面３ｂから離間する下方側に突出形成されている。
【００２２】
上述の構成により、ベース部４の取付け板部４１と位置決め板部４２とを出隅部３Ａの鉛直壁面３ａ及び水平壁面３ｂに当接するだけで、配設ガイド部５を構成する突曲板部５１を角部３ｃから外方側に離間した所定の配設ガイド位置に配置することができる。これにより、長尺体１の屈曲部１ａを損傷の無い状態でより能率良く配設することができる。
【００２３】
位置保持部６は、図２〜図５に示すように、ベース部４の取付け板部４１の外側面４１ｂに配設されている。この位置保持部６には、取付け板部４１の外側面４１ｂに一体的に突出形成された略円柱状の突起部６１と、当該突起部６１に貫通形成された貫通孔６２に挿通される保持線材（バインド線）６３と、が備えられている。突起部６１は、長尺体配設経路に対する直交方向では、取付け板部４１の幅方向の中央又は略中央位置に配置され、長尺体配設経路方向では、取付け板部４１の長手方向における中央寄り位置に配置されている。また、突起部６１の貫通孔６２は、長尺体配設経路に対する直交又は略直交方向に沿って、換言すれば、取付け板部４１の幅方向に沿って形成されている。
突起部６１の外側端面は、図３に示すように、取付け板部４１の外側面４１ｂに対する配設ガイド部５の突出高さｈ１と略同じ高さ位置又はそれよりも高い位置で長尺体１を受け止める受け面６１ａに構成されている。本実施形態においては、取付け板部４１の外側面４１ｂに対する突起部６１の受け面６１ａの突出高さｈ２は、配設ガイド部５の突出高さｈ１よりも高い位置に配置されている。
【００２４】
上述の構成により、位置保持部６を構成する突起部６１は、取付け板部４１の外側面４１ｂの幅方向中央部に形成されているので、この突起部６１の貫通孔６２に挿通された保持線材６３で長尺体１を結束固定した状態では、取付け板部４１の幅全体を使用して長尺体１の逸脱を抑制することができる。しかも、保持線材６３が挿通される突起部６１の貫通孔６２は、長尺体配設経路方向に対する直交方向、つまり、取付け板部４１の幅方向に沿って形成されているので、保持線材６３を長尺体１の長手方向に対して直交する方向から捻り結束することになり、長尺体１を長尺体配設経路に沿う姿勢に維持し易い。それ故に、長尺体１が配設ガイド部５から逸脱することを簡単な構造で抑制することができる。
さらに、配設ガイド部５と突起部６１の外側端面に形成された受け面６１ａとの二点で長尺体１を安定良く支持することができる。このとき、突起部６１の受け面６１ａは、取付け板部４１の外側面４１ｂに対する配設ガイド部５の突出高さｈ１と略同じ高さ位置又はそれよりも高い位置に構成されているので、長尺体１の屈曲部１ａが鈍角になる無理の無い姿勢で配設することができる。
【００２５】
突起部６１の外周面における取付け板部４１の幅方向両側部位は、長尺体配設経路方向に沿う偏平面６１ｂに形成されている。この突起部６１の両偏平面６１ｂに開口する貫通孔６２は、保持線材６３の一例で、図６（ａ）に示す帯状の第１保持線材６３Ａが出隅部３Ａの水平壁面３ｂと平行な水平姿勢で挿入自在な開口幅寸法で四角孔に構成されている。そのため、突起部６１の貫通孔６２に挿通された帯状の第１保持線材６３Ａは、捻り結束時に突起部６１の両偏平面６１ｂに当接して長尺体配設経路に沿う姿勢に維持される。
また、突起部６１の両偏平面６１ｂにおける貫通孔６２の外方側部には、保持線材６３の一例で、図６（ｂ）に示す円柱状の第２保持線材６３Ｂが入り込む線材係合細溝６４が形成されている。そのため、突起部６１の貫通孔６２に挿通された第２保持線材６３Ｂは、捻り結束時に突起部６１の線材係合細溝６４に係入し、第２保持線材６３Ｂを長尺体１の長手方向に対して直交する方向から捻り結束する状態に拘束する。
【００２６】
保持線材６３としては、図１に示すように、長尺体１の荷重を受け止めることができ、且つ、抜止め状態に捻り結束することのできる塑性変形可能な線材であれば使用可能である。本実施形態では、図６（a）に示すように、１本又は複数本の可塑性金属線材の外周を軟質塩化ビニル樹脂等の軟質合成樹脂により帯状に被覆してなる第１保持線材６３Ａと、図６（ｂ）に示すように、１本の可塑性金属線材の外周を軟質塩化ビニル樹脂等の軟質合成樹脂により円柱状に被覆してなる第２保持線材６３Ｂとが選択的に用いられる。勿論、可塑性金属線材の裸線を保持線材６３として用いることもできる。
【００２７】
梁部３の出隅部３Ａに第１支持具Ａを取付ける場合には、図２に示すように、第１支持具Ａの突起部６１に嵌合装着可能なパイプ状の長尺の取付け操作部材７を用いる。この取付け操作部材７は、床面上の作業者が把持した状態で梁部３の出隅部３Ａ及び床スラブ２の下面２ａに十分な余裕をもって届く長さを有する。
取付け操作部材７に第１支持具Ａを装着する前の作業工程として、第１支持具Ａの取付け板部４１の取付け面４１ａに接着剤を塗布して接着層を形成する接着剤塗布工程を実行する。この接着剤塗布工程後に、第１支持具Ａを取付け操作部材７の先端部に装着し、第１支持具Ａの位置決め板部４２を出隅部３Ａの鉛直壁面３ａに当接させた状態で、取付け板部４１の接着層を出隅部３Ａの水平壁面３ｂに押し付け、第１支持具Ａを梁部３の出隅部３Ａに取付ける。
【００２８】
そして、梁部３の出隅部３Ａに固着された第１支持具Ａの保持線材６３に長尺体１を吊下げ支持させるにあたっては、第１支持具Ａの保持線材６３の二股線材部分間に長尺体１を配置保持する長尺体保持機能と、保持線材６３の二股線材部分における長尺体１の配設位置よりも下方側の先端側部位を抜止め状態に捻り結束する捻り結束機能と、を備えた長尺体取付け治具を用いる。この長尺体取付け治具は、長尺体保持機能と捻り結束機能とを備えた単一の治具であっても、長尺体保持機能と捻り結束機能とを各別に備えた二つの治具であってもよい。いずれの場合も、床面上に居る作業者が把持した状態で作業できることが好ましい。
【００２９】
床スラブ２の水平な下面２ａに取付けられる長尺体用の第２支持具Ｂとしては、従来から種々の形態のものが存在し、その何れの形態の第２支持具Ｂも好適に実施可能である。本実施形態に用いられる第２支持具Ｂは、図１に示すように、床スラブ２の下面２ａに当て付け可能な取付け基板８１の一側面に、床スラブ２の下面２ａに接着可能な接着剤で構成される接着剤層が形成されている。また、取付け基板８１の他側面の中央位置には、第２貫通孔８３ａを備えた円柱状の第２突起部８３が一体形成されている。この第２突起部８３の第２貫通孔８３ａには、長尺体１を支持可能な第３保持線材８２が挿通保持されている。
【００３０】
〔第２実施形態〕
図７は、第１支持具Ａの別実施形態を示す。この第１支持具Ａの位置保持部６には、取付け板部４１の外側面４１ｂの幅方向中央位置で、且つ、長尺体配設経路方向の中央寄りの部位に一体的に突出形成された略円柱状の突起部６１と、当該突起部６１に貫通形成された幅方向に沿う貫通孔６２に挿通される保持線材（バインド線）６３と、配設ガイド部５を構成する突曲板部５１の配設ガイド面５１ａの幅方向両端部に設けられた一対の外れ止め突起６５と、が備えられている。
一対の外れ止め突起６５は、上述の位置保持部６の構成要素の一つで、突曲板部５１に受止められている長尺体１の幅方向への逸脱移動を阻止する逸脱阻止部を構成する。
【００３１】
配設ガイド部５の配設ガイド面５１ａで受止められている長尺体１の屈曲部１ａは、一対の外れ止め突起６５によって配設ガイド部５の幅内で長尺体配設経路に沿って位置保持されるので、長尺体１が配設ガイド部５から逸脱することによる出隅部３Ａの角部３ｃとの接触に起因する損傷をより確実に回避することができる。
尚、その他の構成は、第１実施形態で説明した構成と同一であるから、同一の構成箇所には、第１実施形態と同一の番号を付記してそれの説明は省略する。
【００３２】
〔第３実施形態〕
図８は、第１支持具Ａの別実施形態を示す。この第１支持具Ａの配設ガイド部５は、ベース部４の取付け板部４１の外側面４１ｂで、且つ、位置決め板部４２に連続する端部側部位に一体形成された半円筒状の第２突曲板部５２から構成されている。
第２突曲板部５２の周方向両側辺は、取付け板部４１の外側面４１ｂに閉ループ状に連設されているため、第１支持具Ａの機械的強度を高めることができる。
尚、その他の構成は、第１実施形態で説明した構成と同一であるから、同一の構成箇所には、第１実施形態と同一の番号を付記してそれの説明は省略する。
【００３３】
〔第４実施形態〕
図９は、第１支持具Ａの別実施形態を示す。この第１支持具Ａの配設ガイド部５は、ベース部４における取付け板部４１と位置決め板部４２との間において、出隅部３Ａの角部３ｃから離間する外方側に突出する状態で一体形成された半円筒状の第３突曲板部５３から構成されている。この第３突曲板部５３と位置決め板部４２とは円弧状に連続形成され、円弧状の位置決め板部４２の先端面４２ｂが出隅部３Ａの鉛直壁面３ａに当接するように構成されている。
第３突曲板部５３の第３配設ガイド面５３ａの円弧中心点は、出隅部３Ａの角部３ｃ又はその近傍に設定され、第３突曲板部５３は、ベース部４の取付け板部４１及び位置決め板部４２に対して出隅部３Ａの水平壁面３ｂ及び鉛直壁面３ａから共に離間する側に突出形成されている。
尚、その他の構成は、第１実施形態で説明した構成と同一であるから、同一の構成箇所には、第１実施形態と同一の番号を付記してそれの説明は省略する。
【００３４】
〔その他の実施形態〕
（１）上述の第１〜第４実施形態では、第１支持具Ａの取付け板部４１を出隅部３Ａの水平壁面３ｂに接着剤で固着したが、第１支持具Ａの取付け板部４１及び位置決め板部４２を出隅部３Ａの水平壁面３ｂ及び鉛直壁面３ａに接着剤で固着してもよい。
【００３５】
（２）上述の第１〜第４実施形態では、位置保持部６を構成する保持線材６３の捻り結束操作により、長尺体１を配設ガイド部５の幅内に長尺体配設経路に沿って位置保持するように構成したが、保持線材６３に換えて、長尺体１を長尺体配設経路方向に対する直交方向（取付け板部４１の幅方向）から挾持して、長尺体１を配設ガイド部５の幅内に長尺体配設経路に沿って位置保持する挾持部を設けて実施してもよい。
【００３６】
（３）位置保持部６の構成要素の一つである逸脱阻止部を構成するにあたって、上述の２実施形態では、配設ガイド部５を構成する突曲板部５１の配設ガイド面５１ａの幅方向両端部に一対の外れ止め突起６５を設けたが、この構成に限定されるものではない。例えば、配設ガイド部５の配設ガイド面５１ａを、幅方向中央部よりも幅方向両端部が高くなる状態で湾曲状又はＶ状等に形成してもよい。
【００３７】
（４）上述の第１、第２実施形態では、配設ガイド部５を、ベース部４における取付け板部４１と位置決め板部４２との間において、出隅部３Ａの角部３ｃから離間する側に突出する状態で一体形成された半円筒状の突曲板部５１から構成したが、この構成に限定されるものではない。例えば、配設ガイド部５を、取付け板部４１と位置決め板部４２とで形成される直角角部の外面側に丸棒状の屈曲ガイド体を設けて構成してもよい。
【００３８】
（５）上述の第１〜第４実施形態では、ベース部４を、出隅部３Ａの水平壁面３ｂに当接可能な取付け板部４１と、出隅部３Ａの鉛直壁面３ａに当接可能な位置決め板部４２とから構成したが、位置決め板部４２の無い形態で実施してもよい。
【符号の説明】
【００３９】
１        長尺体
１ａ      屈曲部
３Ａ      出隅部
３ａ      被取付け面（鉛直壁面）
３ｂ      被取付け面（水平壁面）
３ｃ      角部
４      ベース部
５      配設ガイド部
６      位置保持部
４１    取付け板部
４１ｂ  外側面
４２    位置決め板部
５１    突曲板部
６１    突起部
６１ａ  受け面
６２    貫通孔
６３    保持線材
【図１】
2019019936.tif 000003
【図２】
2019019936.tif 000004
【図３】
2019019936.tif 000005
【図４】
2019019936.tif 000006
【図５】
2019019936.tif 000007
【図６】
2019019936.tif 000008
【図７】
2019019936.tif 000009
【図８】
2019019936.tif 000010
【図９】
2019019936.tif 000011